Podtech/llm-jp-corpus-v4-ja_patent huggingface dataset:
(57)【要約】【課題】簡単に、尚且つ有効的に脚部の湾曲を徐々に矯正することができるＯ脚矯正器具を提供する。【解決手段】支え架１０と複数の押圧軸２０とより構成し、押圧軸の一端には弧状の押圧板２４が設けられており該押圧板２４とボルト２１は可動連結部２５により連結され、脚部３０の角度に沿ってそれぞれの押圧板２４を脚部３０外側に宛がい、押圧軸２０を調整し脚部３０を押圧板２４と立て板の間で押圧し、湾曲した脚部３０を徐徐に矯正する。【選択図】　　図４
0003098690.tif 000002
【実用新案登録請求の範囲】
【請求項１】
支え架と複数の押圧軸とより構成され、
前記支え架は底板を具有し底板の左右両側には垂直に立て板が設けられており、
前記押圧軸は片側の立て板上に設けられており、押圧軸の外側の一端にはグリップが設けられており、内側の一端には押圧板が設けられており、
湾曲した脚部を支え架内に入れ、複数の押圧軸を調整し、脚部を押圧板と立て板の間で押圧することにより湾曲した脚部を矯正することができることを特徴とするＯ脚矯正器具。
【請求項２】
前記左右両側の立て板は平行であることを特徴とする請求項１記載のＯ脚矯正器具。
【請求項３】
前記支え架と押圧軸はねじ山により結合されていることを特徴とする請求項１記載のＯ脚矯正器具。
【請求項４】
前記押圧板と押圧軸は可動連結部により結合されており、それにより脚部の湾曲の程度に応じて押圧板の角度を調整することができることを特徴とするＯ脚矯正器具。
【請求項５】
前記押圧板は弧状を呈しており、それにより押圧板を湾曲した脚部にぴったりと宛がうことができることを特徴とする請求項４記載のＯ脚矯正器具。
【考案の詳細な説明】
【０００１】
【考案の属する技術分野】
本考案は、Ｏ脚矯正器具に係り、特に支え架と押圧軸の組み合わせにより、脚部を押圧することができ、それにより湾曲した脚部を徐徐に矯正することができるＯ脚矯正器具に関わる。
【０００２】
【従来の技術】
従来のＯ脚矯正器具は、支柱を使用し矯正治療を行うものや、靴状のものなどが多い。
【０００３】
【考案が解決しようとする課題】
しかしながら、上述した従来技術によれば、重くてかさばる支柱を使用するために、行動上の不便が多々発生したり、矯正効果が薄かったりした。
そこで本考案は、上記欠点を改善すべく、簡単に、尚且つ有効的に脚部の湾曲を徐徐に矯正することができるＯ脚矯正器具を提供することを課題とする。
【０００４】
【課題を解決するための手段】
上記の課題を解決するために、請求項１の考案は、支え架と複数の押圧軸とより構成され、前記支え架は底板を具有し底板の左右両側には垂直に立て板が設けられており、前記押圧軸は片側の立て板上に設けられており、押圧軸の外側の一端にはグリップが設けられており、内側の一端には押圧板が設けられており、湾曲した脚部を支え架内に入れ、複数の押圧軸を調整し、脚部を押圧板と立て板の間で押圧することにより湾曲した脚部を矯正することができることを特徴とするＯ脚矯正器具である。
請求項２の考案は、前記左右両側の立て板は平行であることを特徴とする請求項１記載のＯ脚矯正器具である。
請求項３の考案は、前記支え架と押圧軸はねじ山により結合されていることを特徴とする請求項１記載のＯ脚矯正器具である。
請求項４の考案は、前記押圧板と押圧軸は可動連結部により結合されており、それにより脚部の湾曲の程度に応じて押圧板の角度を調整することができることを特徴とするＯ脚矯正器具である。
請求項５の考案は、前記押圧板は弧状を呈しており、それにより押圧板を湾曲した脚部にぴったりと宛がうことができることを特徴とする請求項４記載のＯ脚矯正器具である。
【０００５】
【考案の実施の形態】
本考案の実施例を、図面に沿って説明する。
図１，２に示すように、本考案の実施例は、支え架１０と複数の押圧軸２０とより構成され、前記支え架１０は底板１１を具有し底板１１の左右両側には垂直に立て板１２，１３が設けられており、立て板１２，１３は底板１１と同じ長さであり、片側の立て板１２上には複数のねじ穴１４が設けられている。
【０００６】
前記押圧軸２０はボルト２１を具有し、前記立て板１２上のねじ穴１４と結合している。押圧軸２０の外側の一端にはグリップ溝２２を具有する円柱形のグリップ２３が設けられており、グリップ２３を回転させることにより押圧軸２０を前後に移動させることができる。
【０００７】
前記ボルト２１の内側の一端には弧状の押圧板２４が設けられており、該押圧板２４とボルト２１は可動連結部２５により連結されており、いろいろな角度に調整することができる。
【０００８】
図３，４に示すように、実際に使用する時は、湾曲した脚部３０を支え架１０の支え架空間１５内部に入れ、脚部３０の角度に沿ってそれぞれの押圧板２４を脚部３０外側に宛がい、押圧軸２０を調整し脚部３０を押圧板２４と立て板の間で押圧し、湾曲した脚部３０を徐々に矯正する。図５は、本実施例を使用した矯正後の状態を示す。
【０００９】
【考案の効果】
本考案によれば、構造が簡単で軽便であることと、複数の押圧軸が設けられ、その一端に角度が調整できる押圧板が設けられることで脚部の湾曲の程度によって押圧の程度が調整できることにより、操作が簡単で、使用効果がさらに増すという効果が得られる。
【図面の簡単な説明】
【図１】本考案の実施例の立体全体図である。
【図２】本考案の実施例の立体分解図である。
【図３】本考案の実施例の使用状態を示した側面図である。
【図４】本考案の実施例の使用状態を示した俯瞰図である。
【図５】本考案の実施例を使用してＯ脚矯正後を示した俯瞰図である。
【符号の説明】
１　　Ｏ脚矯正器具
１０　支え架
１１　底板
１２　立て板
１３　立て板
１４　ねじ穴
１５　支え架空間
２０　押圧軸
２１　ボルト
２２　グリップ溝
２３　グリップ
２４　押圧板
２５　可動連結部
３０　脚部
【図１】
0003098690.tif 000003
【図２】
0003098690.tif 000004
【図３】
0003098690.tif 000005
【図４】
0003098690.tif 000006
【図５】
0003098690.tif 000007
(57)【要約】【課題】コストアップすることなく食するに便利な包装餅を提供する。【解決手段】通気性を備えた個包装（フィルム１２）を施した切り餅１１の個包装餅１と、通気性を備えたフィルム包装したタレ２と、通気包装された脱酸素剤３とを、一緒に非通気性外袋４に密封包装したり、個包装の複数の餅と所定数量の包装タレと、通気包装された脱酸素剤３とを、一緒に非通気性外袋４に密封包装してなる。【選択図】　図１
0003098532.tif 000002
【実用新案登録請求の範囲】
【請求項１】
通気性を備えた個包装を施した切り餅と、通気性を備えたフィルム包装したタレと、通気包装された脱酸素剤とを、一緒に非通気性外袋に密封包装してなることを特徴とする包装餅。
【請求項２】
通気性を備えた個包装を施した複数の切り餅と、通気性を備えたフィルム包装した所定数のタレと、通気包装された脱酸素剤とを、一緒に非通気性外袋に密封包装してなることを特徴とする包装餅。
【考案の詳細な説明】
【０００１】
【産業上の利用分野】
本考案は、切り餅を１個ごと包装してなる包装餅並びに個包装の餅を複数まとめて包装した包装餅に関するものである。
【０００２】
【従来技術】
生の切り餅の包装としては、例えば特許文献１に記載されているように、切り餅を１個毎包装した個包装の餅を纏めて、一つの外袋に包装したり、又特許文献２に記載されているように個別真空包装した餅を、更に通気遮断性が高いフィルムで脱酸素剤あるいは不活性ガスと共に外包装することが提案されている。
【０００３】
【特許文献１】
実開昭６１−３１０８４号公報。
【特許文献２】
特公平７−９４２４５６号公報。
【０００４】
【考案が解決しようとする課題】
ところで、餅を食する手段として、雑煮、汁粉、磯辺焼き、安倍川餅等種々の味付けを施すことが行われている。そこで個包装の餅と、餅を食する際に使用するタレとを組み見合わせて販売すると便利であるが、タレの日持ちを餅の日持ちに対応させるためには、殺菌処理したり、アルミ蒸着フィルムで包装したりする必要があり、コストアップとなってしまう。
【０００５】
そこで本考案は、組み合わせ包装によって前記のコストアップの問題を解決することを提案したものである。
【０００６】
【課題を解決するための手段】
本考案に係る包装餅は、通気性を備えた個包装を施した切り餅と、通気性を備えたフィルム包装したタレと、通気包装された脱酸素剤とを、一緒に非通気性外袋に密封包装したり、前期の個包装の切り餅複数と、所定数利の包装タレと、通気包装された脱酸素剤とを、一緒に非通気性外袋に密封包装してなることを特徴とするものである。
【０００７】
而して餅は脱酸素剤と一緒に封入することで、従前と同様に賞味期限を延ばすことができ、同時にタレも特別な包装を施さなくとも賞味期限を９０〜１８０日以上延ばすことができる。
【０００８】
【実施例】
次に本考案の実施例について説明する。図１，２は第一実施例について示したもので、この実施例は１個の切り餅の包装餅で、餅の個体包装１と、包装タレ２と、脱酸素剤３とを、外袋４で包装したものである。
【０００９】
餅の個体包装１は、１個の餅１１を、通気性を有するフィルム１２で包装したもので、必要に応じて殺菌処理を行う。
【００１０】
包装タレ２は、液体タレを、通気性を有するフィルムで液漏れしないように包装したものであり、脱酸素剤３は市場に流通しているシート状もしくは袋包装したものを使用する。
【００１１】
そして通気遮断性を備えた外袋で、前記の餅の個体包装１と、包装タレ２と、脱酸素剤３とを一緒に密封包装するものである。
【００１２】
従って切り餅の個体を専用のタレ付で販売することで、消費者はタレを使用して容易においしく餅を食することができる。
【００１３】
図３，４は第二実施例について示したもので、この実施例は複数の切り餅の包装餅で、餅の個体包装１ａ，１ｂ，１ｃ・・と、包装タレ２ａ，２ｂ・・・と、脱酸素剤３とを、外袋４で包装したものである。
【００１４】
餅の個体包装１ａ，１ｂ，１ｃ・・・は、切り餅一個毎を、通気性を有するフィルムで包装したものであり、包装タレ２ａ，２ｂ・・・は、切り餅一個を単位とした量の液体タレを、通気性を有するフィルムで液漏れしないように包装したものであり、脱酸素剤３は市場に流通しているシート状もしくは袋包装したものを使用する。
【００１５】
そして通気遮断性を備えた外袋４で、前記の複数の個体包装餅１ａ，１ｂ，１ｃ・・・と、前記の餅の数に対応した数の包装タレ２ａ，２ｂ・・・と、脱酸素剤３とを一緒に密封包装するものである。
【００１６】
従って個体包装した切り餅を多数纏めて包装した状態で、専用のタレ付で販売することで、消費者はタレを使用して容易においしく餅を食することができたものである。
【００１７】
【考案の効果】
以上のように本考案は、通気性を備えた個包装を施した切り餅を１個又は複数個と、通気性を備えたフィルム包装した所定数量のタレと、通気包装された脱酸素剤とを、一緒に非通気性外袋に密封包装してなる包装餅で、タレ付とすることで、餅を食するに便利であり、しかもタレを密封同封することで、特別な包装処理を施さずにタレ自体の賞味期限を延長できる利点もある。
【図面の簡単な説明】
【図１】本考案の第一実施例の包装前の説明図。
【図２】同包装後の説明図。
【図３】同第二実施例の包装前の説明図。
【図４】同包装後の説明図。
【符号の説明】
１，１ａ，１ｂ，１ｃ　　　　個体包装
１１　　　切り餅
１２　　　フィルム
２，２ａ，２ｂ　　　　包装タレ
３　　　　脱酸素剤
４　　　　外袋
【図１】
0003098532.tif 000003
【図２】
0003098532.tif 000004
【図３】
0003098532.tif 000005
【図４】
0003098532.tif 000006
(57)【要約】　　　（修正有）【課題】それぞれの色を混ぜることが出来中間色が得られより多くの色調が可能となり、又ダブル噴射であるためにより広い面にも容易に塗布できる、塗料スプレイ缶用ダブル噴射具を提供する。【解決手段】塗料スプレイ缶を２個並べて安定してはめ込める土台に立設した２本の支柱の１つの先端に噴射具を保持するためのグリップを設け、他方の先端には蝶番を介して２つの塗料スプレイ缶のプッシュ・ボタンを押し下げられるように塗料スプレイ缶のプッシュ・ボタンとグリップのそれぞれの上部に至る腕を設ける。グリップ上の腕の先端部分の指をかけ押し下げるボタン（以下押しボタン）は押し易いような構造にし、塗料スプレイ缶のプッシュ・ボタン上に位置する腕の先端部分には両塗料スプレイ缶の噴射時を調節する目的の間隔調整ネジを設けた塗料スプレイ缶用ダブル噴射具である。【選択図】　図１
0003098528.tif 000002
【実用新案登録請求の範囲】
【請求項１】
塗料スプレイ缶を２個並べてはめ込める土台に立設した２本の支柱の１つにグリップを他方の先端に蝶番を介して塗料スプレイ缶のプッシュ・ボタンとグリップのそれぞれの上部に至る腕状の板又は棒（以後腕）を有し、プッシュ・ボタン上の腕の先端部には調整ネジを設けた塗料スプレイ缶用ダブル噴射具。
【考案の詳細な説明】
【０００１】
【考案が解決しようとする課題】
塗料スプレイ缶単独では色の種類が限られてしまう。そのためにダブル噴射をすることにより、それぞれの色を混ぜることが出来中間色が得られより多くの色調が可能となり、又ダブル噴射であるためにより広い面にも容易に塗布できる。
【０００２】
【課題を解決すための手段】
上記の目的を達成するために図１のように、塗料スプレイ缶を２個並べて安定してはめ込める土台に立設した２本の支柱の１つの先端に噴射具を保持するためのグリップを設け、他方の先端には蝶番を介して２つの塗料スプレイ缶のプッシュ・ボタンを押し下げられるように塗料スプレイ缶のプッシュ・ボタンとグリップのそれぞれの上部に至る腕を設ける。グリップ上の腕の先端部分の指をかけ押し下げるボタン（以下押しボタン）は押し易いような構造にし、塗料スプレイ缶のプッシュ・ボタン上に位置する腕の先端部分には両塗料スプレイ缶の噴射時を調節する目的の間隔調整ネジを設けた塗料スプレイ缶用ダブル噴射具である。
【０００３】
【考案の効果】
タブル噴射が出来ることにより異なる色の２つの塗料スプレイ缶の中間色が可能となり又ダブルのために塗料噴射量が多く広い面にもきれいに、より充分な量を塗布出来る。
【図面の簡単な説明】
【図１】塗料スプレイ缶用ダブル噴射具の斜視図である。
【図２】スプレー缶を装着した側面図である。
【符号の説明】
１　土台
２　支柱
３　グリップ
４　腕
５　押しボタン
６　間隙調整ネジ
７　スプレー缶
８　蝶番
【図１】
0003098528.tif 000003
【図２】
0003098528.tif 000004
(57)【要約】　　　（修正有）【課題】間柱と下地材を施工する時間を短縮し、端材をなくし、室内面積が広くとれる。【解決手段】柱を通常（１０５ｍｍ角又は１２０ｍｍ角）より太い柱（２００ｍｍ角）へ切り替え、なおかつ柱と柱の間隔を双方向に８０ｍｍ広くとり、その間にパネル化された８９０ｍｍ×２４２０ｍｍの材料を使用する。【選択図】　図４
0003098529.tif 000002
【実用新案登録請求の範囲】
【請求項１】
木造軸組在来構法における柱を通常（１０５ｍｍ角又は１２０ｍｍ角）より太い柱（２００ｍｍ角）を利用することによって、建物の耐久力が上がる木造建築物
【請求項２】
柱の耐久力が上がることによって、合板張りによる耐力壁の確保をし、その柱の両端のモジュールを双方向に８０ｍｍ広げることで、市場で一般化されている建材をそのまま利用できる木造建築物
【請求項３】
一階部分については図１のような高さを基本とし、市場で一般化されている合板（９１０ｍｍ×２４２０ｍｍ）をそのまま利用する木造建築物
【考案の詳細な説明】
【０００１】
【考案の属する技術分野】
本考案は木造軸組在来構法における建物を支える柱に関するものである。
【０００２】
【従来の技術】
従来の木造軸組在来構法では、図２のように６工程に分かれる。第一工程図２−Ａ（１０５角と１０５角の柱の間を中心から中心まで９１０ｍｍの間隔をとり、柱を建てる）、第二工程図２−Ｂ（図２−Ａで建てた柱の間に下地材を張るための間柱を組立てる）、第三工程図２−Ｃ（図２−Ｂで組立てた間柱を利用し下地材を張る）、第四工程図２−Ｄ（下地材の上に仕上材を張る）、第五工程図２−Ｅ（石膏ボードを張るための下地材を組む）、第六工程図２−Ｆ（図２−Ｅで組立てた下地材の上に石膏ボードを張る）以上六工程で壁を作成していた。
【０００３】
【考案が解決しようとする課題】
本考案は、このような従来の木造軸組在来構法における図２−Ｂの間柱を組む時間と図２−Ｅの下地材を張る時間を短縮し、省施工を目的とする考案である。
【０００４】
間柱や下地材を加工することによって発生していた端材をなくすることを目的とする考案である。
【０００５】
【課題を解決する為の手段】
上述した課題を解決するために、図３−Ｇのように柱を通常（１０５ｍｍ角又は１２０ｍｍ角）より太い柱（２００ｍｍ角）へ切り替る。
【０００６】
柱の両端のモジュールを双方向に８０ｍｍ広げる。
【０００７】
図３−Ｈのように柱と柱の間に間柱と下地材の役割を備えるパネル化された図４の材料を使用する。
【０００８】
一階部分の高さを図１のように土台から梁まで２７２５ｍｍとし、図４のパネルを利用する。
【０００９】
【考案の効果】
本考案において、太い柱（２００ｍｍ角）を利用することによって、建物の耐久力が上がる。
【００１０】
パネル化された図４を利用することにより、それまでの図２−Ｂの間柱を組む時間と図２−Ｅの下地材を張る時間を大幅に短縮することができる。
【００１１】
なおかつ、間柱や下地材を加工する際にでていた端材がなくなるので環境への配慮もされている。
【００１２】
図３−Ｊのように仕上材と石膏ボードを同時に張ることができる。
【００１３】
柱と柱の間隔が広くとられているので、従来どおりの構法で室内面積が広くとれる。
【００１４】
従来の構法では、材料（下地材、仕上材、石膏ボード）をカットすることによって、柱と柱の間に組立てていたが、柱と柱の間隔を広くとることによって、材料をカットすることなくそのまま利用でき、同じ材料を使用しても室内面積が広くなる。よって、従来の構法と比べて同じ材料代で床面積が広くなるので床面積当りの価格が割安になる。
【図面の簡単な説明】
【図１】建物一階部分の合板正面図である。
【図２】従来構法の組立て手順における柱と壁の断面図である。
【図３】本考案構法の組立て手順における柱と壁の断面図である。
【図４】パネルの斜視図である。
【図５】パネルの断面図である。
【符号の説明】
（１）　　梁（２００ｍｍ角）
（２）　　柱（２００ｍｍ角）
（３）　　合板（９１０ｍｍ×２４２０ｍｍ）
（４）　　土台（１０５ｍｍ角）
（５）　　柱（１０５ｍｍ角）
（６）　　間柱
（７）　　下地材
（８）　　仕上材
（９）　　下地材
（１０）　石膏ボード
（１１）　柱（２００ｍｍ角）
（１２）　柱（１０５ｍｍ角）
（１３）　図４のパネル
（１４）　下地材
（１５）　仕上材
（１６）　石膏ボード
【図１】
0003098529.tif 000003
【図２】
0003098529.tif 000004
【図３】
0003098529.tif 000005
【図４】
0003098529.tif 000006
【図５】
0003098529.tif 000007
(57)【要約】【課題】腕時計の機能のすべてを有すると同時に、同類フラッシュメモリの全面機能を統合したフラッシュメモリ付き腕時計を提供する。【解決手段】本実用新案のフラッシュメモリ付き腕時計は、機械体１と、文字板３と、指針と、ケースとを備え、ケースは、裏ぶた７、胴１１、クロージングリング５及びガラス２から構成される。ケースの中にフラッシュメモリ・ディスク６が設けられ、このフラッシュメモリ・ディスク６が機械体１より下方に位置し、ケースの側面にフラッシュメモリのＵＳＢインタフェース８が嵌められている。【選択図】　図１
0003098511.tif 000002
【実用新案登録請求の範囲】
【請求項１】
機械体と、文字板と、指針と、ケースとを備え、ケースが裏ぶた、胴、クロージングリング及びガラスから構成されるフラッシュメモリ付き腕時計であって、
ケースの中にフラッシュメモリが設けられ、該フラッシュメモリが機械体より下方に位置し、ケースの側面にフラッシュメモリのＵＳＢインタフェースが嵌められていることを特徴とするフラッシュメモリ付き腕時計。
【請求項２】
前記機械体の底部に機械体を固定するためのゴムカバーが設けられ、ゴムカバーと胴とは固定されていることを特徴とする請求項１に記載のフラッシュメモリ付き腕時計。
【請求項３】
前記裏ぶたと胴とを止めねじによって固定し、クロージングリングと胴とを固定することを特徴とする請求項１或いは請求項２に記載のフラッシュメモリ付き腕時計。
【請求項４】
前記フラッシュメモリが指示ライトを有し、前記文字板にライト穴が設けられ、指示ライトがライト穴より下方に位置することを特徴とする請求項１に記載のフラッシュメモリ付き腕時計。
【請求項５】
前記ＵＳＢインタフェースと防塵キャップとが互いに嵌合し、該防塵キャップの一端がケースに接続することを特徴とする請求項１に記載のフラッシュメモリ付き腕時計。
【考案の詳細な説明】
【０００１】
【考案の属する技術分野】
本実用新案は、フラッシュメモリを備えた腕時計を関する。
【０００２】
【従来の技術】
周知のように、フロッピディバイス、フロッピディスクは、移動オフィスワークのニーズによって生まれたもので、記憶されたデータの移動や授受に用いられる。そして、ＵＳＢ接続タイプのフラッシュメモリは、情報技術の発展につれて開発されて、データの保存により高い信頼性を有し、読み書きが速くて、かつ寿命がより長い。しかしながら、従来のフラッシュメモリのすべては、持ち歩きが不便で、機能が単一という欠点がある。一方、腕時計の製造業には、消費者の要望により多機能腕時計が増えてきた。しかし、それらの多機能腕時計は、単に一般的な電子製品の組み合わせである。
【０００３】
【考案が解決しようとする課題】
本実用新案は、上述の課題を解決するためになされたもので、腕時計の機能のすべてを有すると同時に、同類フラッシュメモリの全面機能を統合したフラッシュメモリ付き腕時計を提供することを目的とする。
【０００４】
【課題を解決するための手段】
上述の課題を解決するために、本実用新案のフラッシュメモリ付き腕時計は、機械体と、文字板と、指針と、ケースとを備え、ケースは、裏ぶた、胴、クロージングリング及びガラスから構成され、ケースの中にフラッシュメモリが設けられ、このフラッシュメモリが機械体より下方に位置し、ケースの側面にフラッシュメモリのＵＳＢインタフェースが嵌められている。
【０００５】
前記機械体の底部に機械体を固定するためのゴムカバーを設けてもよい。ゴムカバーと胴とは固定されている。
前記フラッシュメモリが指示ライトを有し、前記文字板にライト穴を設けてもよい。指示ライトはライト穴より下方に位置する。
【０００６】
【考案の実施の形態】
次に、図面を参照しながら、一実施形態を用いて本実用新案をさらに説明する。
【０００７】
本実用新案のフラッシュメモリ付き腕時計は、図１、図２のように、機械体１と、文字板３と、指針と、ケースとを備え、ケースは、裏ぶた７、胴１１、クロージングリング５及びガラス２から構成され、ケースの中にフラッシュメモリ（本実施形態ではフラッシュメモリ・ディスク）６が設けられ、このフラッシュメモリ・ディスク６が機械体１より下方に位置し、機械体の底部に胴１１と固定するゴムカバー４を設け、ゴムカバー４により機械体１を固定する。裏ぶた７と胴１１とを止めねじ１０によって固定し、クロージングリング５と胴１１とを密着させることより固定する。
【０００８】
フラッシュメモリ・ディスク６のＵＳＢインタフェース８は、フラッシュメモリ・ディスク６の使用可能なデスクトップ型及びノート型コンピューター或いはＡＰＰＬＥコンピューターなどに接続されるように、ケースの側面のいずれか１つに嵌められている。フラッシュメモリ・ディスク６は指示ライトを有し、文字板３にはライト穴が設けられ、指示ライトはライト穴より下方に位置する。使用者は、指示ライトを見ながらフラッシュメモリ・ディスク６を使用することができる。ケースの裏ぶた７に、フラッシュメモリ・ディスク６のＵＳＢインタフェース８を保護するために回動可能な防塵キャップ９が設けられ、防塵キャップ９とＵＳＢインタフェース８とが互いに嵌合する。
【０００９】
本実用新案にかかるフラッシュメモリ付き腕時計は、石英時計でもいいし、機械式腕時計でもよい。
【００１０】
【考案の効果】
本考案は、伝統的な腕時計にフラッシュメモリが搭載され、腕時計の機能のすべてを有すると同時に、同類フラッシュメモリの全面機能を統合し、ＩＴ産業の発展に適応するという効果があり、伝統的な腕時計をＩＴ製品へ導くものである。
【図面の簡単な説明】
【図１】本実用新案にかかるフラッシュメモリ付き腕時計の構造を示す模式図。
【図２】本実用新案にかかるフラッシュメモリ付き腕時計を示す平面図。
【符号の説明】
１・・・機械体、２・・・ガラス、３・・・文字板、４・・・ゴムカバー、５・・・クロージングリング、６・・・フラッシュメモリ・ディスク、７・・・裏ぶた、８・・・ＵＳＢインタフェース、９・・・防塵キャップ、１０・・・止めねじ、１１・・・胴。
【図１】
0003098511.tif 000003
【図２】
0003098511.tif 000004
(57)【要約】　　　（修正有）【課題】使用に便利な小型インライン式疑似餌箱の提供。【解決手段】本考案の小型インライン式疑似餌箱は、放置箱２、上蓋及び位置決めソフトパッド３を具え、釣用の疑似餌の放置に供され、疑似餌を整然と位置決めし、収納と出し入れに便利で、実用性が高められている。【選択図】　　図３
0003098517.tif 000002
【実用新案登録請求の範囲】
【請求項１】
小型インライン式疑似餌箱において、該小型インライン式疑似餌箱は、放置箱、位置決めソフトパッド及び上蓋で組成され、該放置箱は、プラスチック材料を一体射出成形してなり、長方形の扁平な箱状を呈し、該放置箱の二端及び中央に、内向きに凹んだ収容溝が設けられ、収容溝の一側に複数の位置決め溝が配設され、該放置箱内にあって、収容溝と垂直方向を呈するように、均等に配列された複数の隔板が設けられ、且つ隔板の一側或いは中央に下向きに凹んだ円弧凹部が設けられ、該複数の隔板の間に複数のリブが凸設され、該リブの高度が隔板よりやや低く、該位置決めソフトパッドは、長条状を呈し、上縁に波形の円弧設計が設けられ、二つの円弧の中央に係合溝が設けられ、且つ該係合溝が前述の放置箱の位置決め溝に対応するよう配置され、該位置決めソフトパッドが放置箱の収容溝内に結合固定され、該上蓋は長方形を呈し、放置箱の上縁を被覆するよう結合されたことを特徴とする、小型インライン式疑似餌箱。
【考案の詳細な説明】
【０００１】
【考案の属する技術分野】
本考案は一種の小型インライン式疑似餌箱に係り、特に釣用の疑似餌を放置でき、整然と疑似餌を位置決めでき、疑似餌の収納と出し入れに便利な小型インライン式疑似餌箱に関する。
【０００２】
【従来の技術】
一般に見かける、釣り糸、釣り針、浮き、おもり、疑似餌等の釣り具を収容する釣り具箱は図１に示されるようであり、この放置箱１は、収容箱１１、及び上蓋１２を具え、該収容箱１１内が、矩形、正方形、長方形格子状に区画された収容空間１３とされている。このような周知の製品に前述の釣り具、特に疑似餌を収納する時には多くの不便がある。市販されている疑似餌には魚の形状に形成されたものがあり、疑似餌のボディの前端、後端に針が設けられ、疑似餌には各種形状と大きさがあり、複数の同時に収容空間１３内に収容すると、使用者が出し入れする時に手指を傷つけたり、衣服を引っかけたりし、且つ複数の疑似餌を収容空間１３内に収容すると、疑似餌の前端、後端の針が磨損したり折れることがある。
【０００３】
【考案が解決しようとする課題】
このため、使用に便利な疑似餌箱が求められており、ゆえに、本考案の主要な目的は、一種の小型インライン式疑似餌箱を提供することにあり、それは疑似餌を整然と位置決めでき、疑似餌の出し入れの便利性と実用性を増したものとする。
【０００４】
【課題を解決するための手段】
請求項１の考案は、小型インライン式疑似餌箱において、該小型インライン式疑似餌箱は、放置箱、位置決めソフトパッド及び上蓋で組成され、該放置箱は、プラスチック材料を一体射出成形してなり、長方形の扁平な箱状を呈し、該放置箱の二端及び中央に、内向きに凹んだ収容溝が設けられ、収容溝の一側に複数の位置決め溝が配設され、該放置箱内にあって、収容溝と垂直方向を呈するように、均等に配列された複数の隔板が設けられ、且つ隔板の一側或いは中央に下向きに凹んだ円弧凹部が設けられ、該複数の隔板の間に複数のリブが凸設され、該リブの高度が隔板よりやや低く、該位置決めソフトパッドは、長条状を呈し、上縁に波形の円弧設計が設けられ、二つの円弧の中央に係合溝が設けられ、且つ該係合溝が前述の放置箱の位置決め溝に対応するよう配置され、該位置決めソフトパッドが放置箱の収容溝内に結合固定され、該上蓋は長方形を呈し、放置箱の上縁を被覆するよう結合されたことを特徴とする、小型インライン式疑似餌箱としている。
【０００５】
【考案の実施の形態】
図２、３に示されるように、本考案の小型インライン式疑似餌箱は、放置箱２、位置決めソフトパッド３及び上蓋４で組成されている。
該放置箱２は、プラスチック材料を一体射出成形してなり、長方形の扁平な箱状を呈し、該放置箱２の二端及び中央に、内向きに凹んだ収容溝２１が設けられ、収容溝２１の一側に複数の位置決め溝２２が配設されている。さらに、該放置箱２内にあって、収容溝２１と垂直方向を呈するように、均等に配列された複数の隔板２３が設けられ、且つ隔板２３の一側或いは中央に下向きに凹んだ円弧凹部２４が設けられ、該複数の隔板２３の間に複数のリブ２５が凸設され、該リブ２５の高度は隔板２３よりやや低く設けられている。
【０００６】
該位置決めソフトパッド３は、長条状を呈し、上縁に波形の円弧設計が設けられ、二つの円弧の中央に係合溝３１が設けられ、且つ該係合溝３１が前述の放置箱２の位置決め溝２２に対応するよう配置され、該位置決めソフトパッド３が放置箱２の収容溝２１内に結合固定される。
【０００７】
該上蓋４は長方形を呈し、放置箱２の上縁を被覆するよう結合される。こうして全体として小型インライン式疑似餌箱が形成されている。
【０００８】
図４に示されるように、本考案の放置箱２には複数の均等に配列された隔板２３があり、疑似餌５は隔板２３の間の空間内に収容され、該疑似餌５の一端の針５１は放置箱２の位置決め溝２２に通され、さらに位置決めソフトパッド３の係合溝３１内に係合される。図より分かるように、本考案は整然と疑似餌５を収容する機能を具え、且つ本考案の前述の構造は、放置箱２の隔板２３及びリブ２５の構造により、疑似餌５が整然と且つ安定して内部に収容される。さらに、本考案は隔板２３の一側或いは中央に下向きに凹んだ円弧凹部２３の設計が設けられているため、使用者が疑似餌５を出し入れする際の便利性と実用性が増されている。
【０００９】
【考案の効果】
本考案の前述の構造は、確実に予期された作用と効果を達成する。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】周知の製品の構造表示図である。
【図２】本考案の斜視図である。
【図３】本考案の分解斜視図である。
【図４】本考案の使用状態参考図である。
【符号の説明】
１　放置箱　　　　　　　　　　　１１　収容箱
１２　上蓋　　　　　　　　　　　１３　収容空間
２　放置箱　　　　　　　　　　　２１　収容溝
２２　位置決め溝　　　　　　　　２３　隔板
２４　円弧凹部　　　　　　　　　２５　リブ
３　位置決めソフトパッド　　　　３１　係合溝
４　上蓋　　　　　　　　　　　　５　疑似餌
５１　針
【図１】
0003098517.tif 000003
【図２】
0003098517.tif 000004
【図３】
0003098517.tif 000005
【図４】
0003098517.tif 000006
(57)【要約】　　　（修正有）【課題】パンクしても、すぐ修理できる自転車タイヤを作る。【解決手段】空気注入部４の取り付け穴を２つ以上作り、２本のタイヤチューブをタイヤに内蔵させる構造にする。【選択図】　　図１
0003098572.tif 000002
【実用新案登録請求の範囲】
【請求項１】
空気注入部の取り付け穴を２つ以上作り、１本のタイヤにチューブを２本内蔵できる自転車タイヤ。
【考案の詳細な説明】
【０００１】
［考案が解決しようとする課題］
従来の自転車は、１タイヤ１チューブ式に作られている。タイヤは皆そう作られているが、軽装な自転車の場合はパンクで困ることが時々おきる。
簡単になおせないし、修理に時間がかかる。
【０００２】
［課題を解決するための手段］
上記目的を達成するために、１本のタイヤに２本のタイヤチューブを組み込む。空気注入部の取り付け穴を近接あるいは離して２つ以上作り、２本のタイヤチューブをタイヤに内蔵させる。２カ所の空気注入部の片方だけ、あるいは両方に適量の空気を注入する。
【０００３】
［考案の効果］
１タイヤ１チューブの場合と、走行感はほとんど変わらない。チューブのセットも難しくない。パンク時は、片方のチューブに携帯空気入れで空気を入れれば、すぐ走行可能になる。
【図面の簡単な説明】
【図１】タイヤの側面図である。
【図２】タイヤの正面図である。
【図３】空気注入部を近接した場合の、平面の断面図である。
【符号の説明】
１　タイヤ外装部　　２　車輪　　３　リム　　４　空気注入部
５　車軸
【図１】
0003098572.tif 000003
【図３】
0003098572.tif 000004
【手続補正書】
【提出日】平成15年8月6日(2003.8.6)
【手続補正１】
【補正対象書類名】図面
【補正対象項目名】全図
【補正方法】変更
【補正の内容】
【図１】
0003098572.tif 000005
【図２】
0003098572.tif 000006
【図３】
0003098572.tif 000007
(57)【要約】【課題】本考案は囲碁の練習に碁盤と碁石を使用して、実践と同じ状態でどの様に碁石の位置を指示するか又容易に正解の位置が解る様にする事を課題とした。【解決手段】プロジェクタ１とコンピュータ３を組み合わせる事により一般の碁盤を加工することなく、碁盤６上に碁石の位置を投影する事が出来る。直接碁盤６上に碁石の位置が投影されるので正解の位置が容易に分かる。又、複数の碁石及び文字の投影が可能となる。【選択図】　図１
0003098571.tif 000002
【実用新案登録請求の範囲】
【請求項１】
コンピュータとプロジェクタ（画像投影装置）を使い碁盤上に碁石の位置を示すマーク及び文字を投影するものである。
【考案の詳細な説明】
【０００１】
【考案の属する技術分野】
本考案は碁石位置を示すマークを投影する囲碁練習装置である。
【０００２】
【従来の技術】
囲碁の練習はパソコンの画面を見て行う方法と碁盤を加工して発光体の光によって碁石の位置を指示する方法と印刷物を見て縦横の位置を確認しながら碁石を置いていく方法であった。
【０００３】
【考案が解決しようとする課題】
パソコンの画面では碁石の感触、碁石を置いたときの感触等の臨場感が無い。碁盤を加工する方法は一般の碁盤が使えない。印刷物を見て碁石を置いていく場合、碁石の位置を探すのに大変である。
【０００４】
【課題を解決するための手段】
本考案は、コンピュータから送られてくる画像信号をプロジェクタに送り、プロジェクタから碁盤へ碁石の位置を示すマークを投影する物である。この方法だと一般の碁盤を加工することなく使用出来る。直接碁盤に碁石の位置が投影されるため位置の確認が容易である。碁盤と碁石を使用するため臨場感も損なわない。
【０００５】
【考案の実施の形態】
パソコンにインストールされている囲碁練習ソフトにより碁石の位置を示す画像がプロジェクタに送られ、プロジェクタから碁盤に碁石の位置を投影する。投影された碁石の位置に実際に碁石を置く。次の一手を自分で考え碁石を置く。ミニキーボードの進むボタンを押すと正解の碁石の位置がプロジェクタより投影される。間違っていれば碁石の位置を正解位置に移動する。複数の碁石の位置が投影可能で有るため詰め碁の様に既に置かれている全ての碁石の位置が投影されるため、碁石を置くのが容易であ。白石と黒石のマークの区別は色を変えて投影する。
【０００６】
【実施例】
以下、添付図面に従って一実施例を説明する。９はプロジェクタ１、パソコン３、鏡４を効率よく納めるためのラックである。パソコン３の制御は７のミニキーボードで全て行う。４の鏡は碁盤６に垂直に投影するためにプロジェクタ１の投影レンズ２からの光を鏡４で４５度反射させ、碁盤６に垂直に投影するための物である。これにより、重いプロジェクタ１を吊り下げずに碁盤６に垂直に投影出来る。５は鏡４を固定するための鏡固定棒である。
【０００７】
【考案の効果】
本考案は一般の碁盤に碁石の位置を画像で投影するため碁盤を一切加工する必要が無く、手持ちの碁盤を置くだけで練習できる。プロジェクタを使うことで複数の碁石、また文字も同時に投影出来る。碁盤
に直接、碁石の位置を投影するため縦、横のマス目を数えることなく容易に碁石の位置が解る。
【図面の簡単な説明】
【図１】本考案の斜視図である。
【符号の説明】
１　プロジェクタ
２　投影レンズ
３　パソコン
４　鏡
５　鏡固定棒
６　碁盤
７　ミニキーボード
８　ミニキーボードケーブル
９　ラック
【図１】
0003098571.tif 000003
【手続補正書】
【提出日】平成15年8月29日(2003.8.29)
【手続補正１】
【補正対象書類名】明細書
【補正対象項目名】実用新案登録請求の範囲
【補正方法】変更
【補正の内容】
【実用新案登録請求の範囲】
【請求項１】
コンピュータとプロジェクタ（画像投影装置）を使い碁盤上に碁石の位置を示すマーク及び文字を投影することを特徴とする碁石位置投影式囲碁練習装置。
(57)【要約】【課題】本考案は、簡単に組立てが出来、コンパクトに収納が出来、どこでも移動組立が短時間で出来るものとする。【解決手段】本考案は、足部分、蕎麦打ち台、下部棚板の３部分からなり、足部分は、４枚の枠を２枚づつ丁番で連結し、この連結したものをネジ締り錠で固定して成り、蕎麦打ち台は、底面に足部分の掘込みを入れ、この掘込みを足部分の上端に嵌め込むことにより、しっかり固定出来る。下部棚板は、足部分の下桟に置いて、止め桟で固定して、尚一層頑丈になる組立式蕎麦打ち台である。【選択図】　　図３
0003098570.tif 000002
【実用新案登録請求の範囲】
【請求項１】
足部分と蕎麦打ち台の２部分から成り、足部分は、４枚の枠を２枚づつ丁番で連結して、この連結したものをネジ締錠で固定して成り、蕎麦打ち台は、底面に足部分の掘込みを入れ、この掘込みを足部分の上端に嵌め込むことにより、しっかり固定出来る組立式蕎麦打ち台である。
【請求項２】
足部分と蕎麦打ち台と下部棚板の３部分から成り、足部分は、４枚の枠を２枚づつ丁番で連結して、この連結したものをネジ締り錠で固定して成り、蕎麦打ち台は底面に足部分の掘込みを入れ、この掘込みを足部分の上端に嵌め込むことにより、しっかり固定出来る。下部棚板は、足部分の下桟に置いて、止め桟で固定して、尚一層頑丈になる組立式蕎麦打ち台である。
【請求項３】
蕎麦打ち台に、麺棒が収納出来る麺棒収納溝を作り、その端に掃除用穴を開け、掃除を楽にした組立式蕎麦打ち台である。
【考案の詳細な説明】
【０００１】
【考案の属する技術分野】
本考案は、簡単に組立が出来、コンパクトに収納も出来、どこでも移動組立作業が短時間で出来る蕎麦打ち台に関するものである。
【０００２】
【従来の技術】
従来の組立式蕎麦打ち台は、重いものが多く、安定性が悪く、組立に時間がかかった。又蕎麦打ち台の下に収納スペースがなく不便であった又、蕎麦打ち台に麺棒収納溝もなかった（特許文献１参照）。
【０００３】
【特許文献１】
実用新案　第３０５３２３７号
【特許文献２】
実用新案　第３０５６５８１号
【０００４】
【考案が解決しようとする課題】
本考案は、蕎麦打ち台の足部分は丁番式で安定性を持たせ、固定にネジ締り錠で短時間で組立が簡単に出来る様にした。蕎麦打ち台には、麺棒が収納出来る様に、麺棒収納溝を作り、その端に掃除用穴を開け、蕎麦粉の残り等の掃除を楽にした。
【０００５】
【課題を解決するための手段】
本考案は、足部分の４枚の枠を２枚づつ丁番で連結して、この連結したものをネジ締り錠で固定し、蕎麦打ち台の底面に足部分の掘込みを入れ、この掘込みを足部分の上端に嵌め込むことにより、しっかり固定出来るものとする。又下部棚板を足部分の下桟に置いて、止め桟で固定し、尚一層頑丈なものとし、組立が数分で出来る様にした。
【０００６】
【考案の実施の形態】
足部分（１）は、４枚の枠（なるべく軽い木枠が好ましい）を２枚づつ丁番（２）で連結し、ネジ締り錠（３）４箇所で四角に組立る。蕎麦打ち台（５）は通常矩形で、材料は木製で底面に足部分（１）の四角の掘込みを入れ、足部分（１）の上端に嵌め込み固定する。又麺棒が収納出来る様に麺棒収納溝（６）を開け、蕎麦粉の残り等の掃除が楽に出来る様、に掃除用穴（７）を開けた。又、足部分（１）の下桟に下部棚板（４）を乗せて、止め桟で固定して、場所をとらずに、道具類を置ける様にした。
【０００７】
【考案の効果】
本考案は、組立が数秒で出来、頑丈で安定性があり、移動にも、収納も楽に出来る。又、道具類も台の下に置くことが出来、場所をとらないし、麺棒の収納溝によって、掃除も回りを汚さず、楽に出来る。
【図面の簡単な説明】
【図１】Ａは、組立式蕎麦打ち台の平面図・Ｂは足部分の木の枠の立面図である。
【図２】Ａは、組立式蕎麦打ち台の蕎麦打ち台の底面図・Ｂは足部分の平面図である。
【図３】組立蕎麦打ち台の組立て、分解の斜視図である。
【符号の説明】
１．足部分
２．丁番
３．ネジ締り錠
４．下部棚板
５．蕎麦打ち台
６．麺棒収納溝
７．掃除用穴
８．底板の掘込み
【図１】
0003098570.tif 000003
【図２】
0003098570.tif 000004
【図３】
0003098570.tif 000005
【手続補正書】
【提出日】平成15年7月24日(2003.7.24)
【手続補正１】
【補正対象書類名】明細書
【補正対象項目名】実用新案登録請求の範囲
【補正方法】変更
【補正の内容】
【実用新案登録請求の範囲】
【請求項１】
足部分と蕎麦打ち台の２部分から成り、足部分は、４枚の枠を２枚づつ丁番で連結して、この連結したものをネジ締錠で固定して成り、蕎麦打ち台は、底面に足部分の掘込みを入れ、この掘込みを足部分の上端に嵌め込むことにより、しっかり固定出来る組立式蕎麦打ち台。
【請求項２】
足部分と蕎麦打ち台と下部棚板の３部分から成り、足部分は、４枚の枠を２枚づつ丁番で連結して、この連結したものをネジ締錠で固定して成り、蕎麦打ち台は、底辺に足部分の掘込みを入れ、この掘込みを足部分の上端に嵌め込むことにより、しっかり固定出来、下部棚板は足部分の下桟に置いて、止め桟で固定して、尚一層頑丈になる組立式蕎麦打ち台。
【請求項３】
蕎麦打ち台、麺棒が収納出来る麺棒収納溝を作り、その端に掃除用穴を開け、掃除を楽にした
【請求項１】
あるいは
【請求項２】
に記載の組立式蕎麦打ち台。
(57)【要約】　　　（修正有）【課題】完成された建物、設備などに、配線を必要とせずに防災設備を設置する。【解決手段】電波の受信エリア内において、熱感知器Ａ、煙感知器Ｂ、臭気感知器Ｃの各センサーに周波数の違う送信装置とバッテリー電源を組込み、各センサーが作動した場合、個々に組み込まれた送信装置から送信電波を発し、受信表示装置Ｄに各センサーを区別して表示させる、あるいは、各センサーの取り付け位置も区別し、警報音と共に表示させるシステムとする。【選択図】図４
0003098563.tif 000002
【実用新案登録請求の範囲】
【請求項１】
電波の受信エリア内において、熱感知器、煙感知器、臭気感知器の各センサーに周波数の違う送信装置とバッテリー電源を組込む、又熱感知器、煙感知器、臭気感知器を一体化したセンサーに周波数の違う送信装置を組込み、各センサーが作動した場合、個々に組み込まれた送信装置から送信電波を発し、受信表示装置に各センサーを区別して表示させる、又各センサーの取り付け位置も区別し、警報音と共に表示させるシステムとする。
【考案の詳細な説明】
【０００１】
【考案に属する技術分野】本考案は受信エリア内に取り付けた、熱感知器、煙感知器、臭気感知器、各センサーが作動した場合、組み込まれたバッテリー電源と送信装置から送信電波を発信させ、受信装置に表示し、災害を未然に防ぐ、又最小限に押さえる事を目的とする。
【０００２】
【従来の技術】従来の、熱感知器、煙感知器、臭気感知器の作動表示を別な場所で行う場合は配線を有していた。
【０００３】
【考案が解決しようとする課題】従来の熱感知器、煙感知器、臭気感知器各センサーと受信表示装置間は、配線を必要とする為、完成された建物、設備などには、防災設備を設置する事は簡単では無い。
【０００４】
【課題を解決するための手段】現在既存生産している熱感知器、煙感知器、臭気感知器に各異なる周波数の送信装置とバッテリー電源を組み込む事により、熱感知器、煙感知器、臭気感知器各センサーと受信表示装置間に配線を必要とせず簡単に取り付ける事ができる。
【０００５】
【考案の実施の形態】本考案によるワイアレス送信装置とバッテリー電源を組み込んだ熱感知器、煙感知器、臭気感知器は異なる周波数をセットした送信装置から、発しられた電波は、受信装置に異常発生位置を警報音とともに表示する、これらの各センサーと、受信表示装置間に配線を必要としない、又各センサー、受信表示装置にバッテリー電源を組み込む事により停電時に各システムが停止する事もない、これらの利点を備えた装置を各住戸、設、又近隣の住戸がグループになり相互に各センサー、受信表示装置を取り付け・防災管理をするワイヤレスセンサー表示システムとする。
【０００６】
【実地例】本考案の熱感知器、煙感知器、臭気感知器は各センサーが異常を感知した場合、組み込まれた送信装置が電波を発し受信表示装置に各センサーを区別して取り付け位置を表示位置にて表示する。又、受信表示装置は、先に実用新案登録証の登録第３０８５１１１号を受けたグループ連絡システムの受信表示装置、更にこの受信表示装置にバッテリー電源を組み込んだ受信表示装置は、受信エリア内においては小型で軽量の為、移動設置が簡単で各センサーの監視度を高める事が出来る、各センサーはバッテリー電源を組み込む事で、電源配線も必要無く、何処にでも簡単に取り付ける事が出来る。
【０００７】
上記で説明した装備の利点を生かし、受信エリア内にて各住戸、施設内の設置、又送信受信エリア内で近隣住戸２〜５戸がグループとなり、各センサー、受信表示装置をお互いに設置し相互に監視し、災害が発生した場合、早期に解決しようとするものとする。
【０００８】
【考案の効果】本考案の効果として各住戸が別室、別棟に配線無くして簡単に取り付けできる防災管理、又近隣に住戸する戸がグループとなり留守中の戸の災害、又、万一見落としの無いようにグループの他の戸が相互に監視し、災害発生を予知した時、早期に対処し災害を未然に、又最小限に留める防災管理の簡易設備としての目的とす
る。
【図面の簡単な説明】
0003098563.tif 000003
0003098563.tif 000004
0003098563.tif 000005
0003098563.tif 000006
0003098563.tif 000007
【手続補正書】
【提出日】平成14年10月12日(2002.10.12)
【手続補正１】
【補正対象書類名】明細書
【補正対象項目名】実用新案登録請求の範囲
【補正方法】変更
【補正の内容】
【実用新案登録請求の範囲】
【請求項１】
電波の受信エリア内において、熱感知器、煙煙感知器、臭気感知器、各感知器に周波数の違う送信装置とバッテリー電源を組み込む、又熱感知器、煙感知器、臭気感知器、各感知器を一体化した感知器に周波数の違う送信装置とバッテリーを組み込み、各感知器が作動した場合、個々に組み込まれた送信装置から送信電波を発し、受信表示装置に各感知器を区別して表示する、又各感知器の取り付け位置も区別し警報音と共に表示する、これらの機構を「ワイヤレスセンサー表示システム」とする
【手続補正２】
【補正対象書類名】明細書
【補正対象項目名】図面の簡単な説明
【補正方法】変更
【補正の内容】
【図面の簡単な説明】
【図１】火災報知機に接続する直流電源電気回路図
【図２】
【図１】２の外形図
【図３】停電保証回路図
【図４】各センサーからの受信表示形態図
【符号の説明】
１プリント基盤　　　　　　　　直流電源のベース基盤
２半導体集積回路　　　　　　　ＮＥ５５５Ｐ
３リレー　　　　　　　　　　　Ｃ６Ｄ−１Ａ　ＤＣ５Ｖ
４リレー　　　　　　　　　　　Ｃ６Ｄ−１Ａ　ＤＣ２４Ｖ
５コンデンサ　　　　　　　　　０．０１μＦ
６電解コンデンサ　　　　　　　１０μＦ
７抵抗　　　　　　　　　　　　２５ＫΩ
８可変抵抗　　　　　　　　　　５０ＫΩ
９抵抗　　　　　　　　　　　　　５ＫΩ
Ａ熱感知機
Ｂ煙感知機
Ｃ臭気感知気
Ｄ受信表示装置


【手続補正３】
【補正対象書類名】図面
【補正対象項目名】全図
【補正方法】変更
【補正の内容】
【図１】
0003098563.tif 000008
【図２】
0003098563.tif 000009
【図３】
0003098563.tif 000010
【図４】
0003098563.tif 000011
(57)【要約】【課題】従来の蒸し鍋による蒸し料理、水だき等の煮物の料理を行う場合それぞれ異なった鍋で料理をしていて不便な場合がある。【解決の手段】内鍋の開口部、上部に蒸気口を有する蒸し鍋において、内鍋の中央部に湯口のある筒を設け、蒸すと同時に湯口より熱湯が内鍋に入るようにしたものである。【選択図】　図１
0003098567.tif 000002
【実用新案登録請求の範囲】
【請求項１】
（１）内鍋と外鍋で構成される蒸し鍋の、内鍋側、外周部の上部に蒸気口の穴が開いている蒸し鍋において、内鍋の中央部、上部に蒸気口が開いた筒を有する蒸し鍋。
（２）内鍋の中央部、上部に蒸気口が開いた筒を有した請求項１記載の蒸し鍋。
【考案の詳細な説明】
【０００１】
【考案の属する技術分野】
本考案は、鍋料理方法の多様化を図った調理に関する。
【０００２】
【従来の技術】
従来の鍋料理は図１の水炊き等の煮鍋、図２の蒸し鍋のように、それぞれ異なった鍋での調理。
【０００３】
【考案が解決しようとする課題】
図３の水炊き等の煮鍋、図４の蒸し鍋のように、それぞれ異なった鍋が必要であった。
【０００４】
本考案は従来の蒸し鍋をより便利にするものである。
【０００５】
【課題を解決するための手段】
本考案は従来の蒸し鍋をより便利にする手段として、蒸し鍋に湯口のある筒を設け、蒸すと同時に湯口より熱湯が鍋に入るようにしたものである。
【０００６】
【考案の実施の形態】
本考案の実施の形態を図１〜図２に基づいて説明する。
【０００６】
本考案は図１の断面図において外鍋１、内鍋２、蓋３、で構成され、内鍋２の外周開口部の上部に蒸気口１３を有している、内鍋２の中央部に筒１２が突き出し、上部に蒸気口１４を有している。
【０００７】
図２の断面図において、外鍋１の熱湯が内鍋底１１より高位の２１の位置で煮沸を行う場合、外鍋１の熱湯による蒸気が外鍋１と内鍋２の間に充満し、蒸気圧が内鍋２と蓋３との間よりも蒸気圧が強くなると外鍋１の熱湯が押され蒸気口１４から熱湯がでる、熱湯は内鍋２に溜まる、蒸気口１３から蒸気がでる、結果、蓋３で覆われた内鍋２の室内は蒸気で充満され、余分な蒸気は蒸気口１５から出る、内鍋２の食材３１は熱湯と蒸気で加熱される。
【０００８】
外鍋１の熱湯が内鍋底１１より低位の２２の場合、外鍋１と内鍋２の室内、内鍋２と蓋３の室内がつながって、圧力が同じになり、蒸気口１４から熱湯が出ない為、内鍋２の室内は蒸気口１３、蒸気口１４、からの蒸気のみで充満され、食材３１は蒸気のみで加熱される。
【０００８】
【考案の効果】
上述したように本考案の蒸し鍋により、煮料理と蒸し料理を１つの鍋で選択可能にした蒸し鍋。
【０００９】
また、内鍋２を複数、備えることで、複数の料理ができる。
【００１０】
内鍋２の食材３１は蒸される為、食材３１その物の味が外に溶け出す量が少ないので、食材３１その物の味が味わえる。
【図面の簡単な説明】
【図１】「本考案の構成を示した断面図である。」
１外鍋、　２内鍋、　３蓋、　１２筒、　１３、蒸気口、　１４蒸気口、
【図２】「本考案の実施形態を示した断面図である。」
１１内鍋下部、　　１５蒸気口、　２１湯面高位、　２２湯面低位、３１食材、
【図３】「従来の水だきの鍋を示した断面図である。」
１外鍋、　３蓋
【図４】「本考案に関係する、従来の蒸し鍋を示した断面図である。」
１外鍋、　２内鍋、　３蓋、　１３蒸気口
【図１】
0003098567.tif 000003
【図２】
0003098567.tif 000004
【図３】
0003098567.tif 000005
【図４】
0003098567.tif 000006
【手続補正書】
【提出日】平成15年6月2日(2003.6.2)
【手続補正１】
【補正対象書類名】明細書
【補正対象項目名】実用新案登録請求の範囲
【補正方法】変更
【補正の内容】
【実用新案登録請求の範囲】
【請求項１】
内鍋と外鍋で構成される蒸し鍋の、内鍋側、外周部の上部に蒸気口の穴が開いている蒸し鍋において、内鍋の中央部、上部に蒸気口が開いた筒を有する蒸し鍋。